(57)【要約】【課題】車両の周囲の環境に応じて適切に俯瞰映像を表示させる。【解決手段】車両の周辺を撮影する複数のカメラが撮影した周辺映像データを取得する映像データ取得部５１と、車両の周囲の環境情報を取得する環境情報取得部５２と、映像データ取得部５１が取得した周辺映像データに視点変換処理および合成処理を行い、車両から所定の表示範囲を表示する俯瞰映像を生成する俯瞰映像生成部５４と、環境情報取得部５２が取得した環境情報に基づき、俯瞰映像生成部５４が生成した俯瞰映像の表示範囲を変更して表示部２１に表示させる表示制御部５５とを備える。【選択図】図１
2020145658.tif 000002
【特許請求の範囲】
【請求項１】
車両の周辺を撮影する複数の撮影部が撮影した周辺映像データを取得する映像データ取得部と、
前記車両の周囲の環境情報を取得する環境情報取得部と、
前記映像データ取得部が取得した周辺映像データに視点変換処理および合成処理を行い、前記車両から所定の表示範囲を表示する俯瞰映像を生成する俯瞰映像生成部と、
前記環境情報取得部が取得した環境情報に基づき、前記俯瞰映像生成部が生成した俯瞰映像の表示範囲を変更して表示部に表示させる表示制御部と、
を備える表示制御装置。
【請求項２】
前記環境情報取得部は、前記車両の周囲の気象に関する情報を取得し、
前記表示制御部は、前記車両の周囲の気象に関する情報が荒天を示している場合、前記俯瞰映像生成部が生成した俯瞰映像の表示範囲を広く変更して表示部に表示させる、
請求項１に記載の表示制御装置。
【請求項３】
前記車両の進行方向の情報を取得する車両情報取得部、
をさらに備え、
前記表示制御部は、前記車両の周囲の気象に関する情報が荒天を示している場合、前記俯瞰映像生成部が生成した俯瞰映像の進行方向における表示範囲を広く変更して表示部に表示させる、
請求項１または２に記載の表示制御装置。
【請求項４】
前記表示制御部は、前記環境情報取得部が取得した気象に関する情報が、降雨、降雪、強風および寒波の少なくともいずれかを示している場合、荒天を示していると判断する、
請求項２または３に記載の表示制御装置。
【請求項５】
請求項１から４のいずれか一項に記載の表示制御装置と、
前記映像データ取得部が周辺映像データを取得する複数の撮影部、前記表示制御部が俯瞰映像を表示させる表示部の少なくともいずれかと、
を備えることを特徴とする表示システム。
【請求項６】
車両の周辺を撮影する複数の撮影部が撮影した周辺映像データを取得する映像データ取得ステップと、
前記車両の周囲の環境情報を取得する環境情報取得ステップと、
前記映像データ取得ステップにおいて取得した周辺映像データに視点変換処理および合成処理を行い、前記車両から所定の表示範囲を表示する俯瞰映像を生成する俯瞰映像生成ステップと、
前記環境情報取得ステップにおいて取得した環境情報に基づき、前記俯瞰映像生成ステップで生成した俯瞰映像の表示範囲を変更して表示部に表示させる表示制御ステップと、
を含む表示制御方法。
【請求項７】
車両の周辺を撮影する複数の撮影部が撮影した周辺映像データを取得する映像データ取得ステップと、
前記車両の周囲の環境情報を取得する環境情報取得ステップと、
前記映像データ取得ステップにおいて取得した周辺映像データに視点変換処理および合成処理を行い、前記車両から所定の表示範囲を表示する俯瞰映像を生成する俯瞰映像生成ステップと、
前記環境情報取得ステップにおいて取得した環境情報に基づき、前記俯瞰映像生成ステップで生成した俯瞰映像の表示範囲を変更して表示部に表示させる表示制御ステップと、
を、表示制御装置として動作するコンピュータに実行させるプログラム。
【発明の詳細な説明】
【技術分野】
【０００１】
本発明は、表示制御装置、表示システム、表示制御方法およびプログラムに関する。
【背景技術】
【０００２】
車両が後退する場合など、車両の周囲を確認する必要がある場合に、車両の周囲の俯瞰映像を表示する技術が知られている。また、第１俯瞰画像と、第１俯瞰画像より拡大率の小さい第２俯瞰画像とを並べて合成した合成画像を生成する技術が知られている（例えば、特許文献１参照）。
【先行技術文献】
【特許文献】
【０００３】
【特許文献１】特開２０１７−０６９６２１号公報
【発明の概要】
【発明が解決しようとする課題】
【０００４】
例えば、車両の周辺環境が降雨、降雪、強風および寒波などのように、他車両および歩行者などの周囲の状況確認が困難となる場合がある。車両の周囲の状況確認が不十分であると、近接してきた他車両に気付くのが遅れるおそれがある。
【０００５】
本発明は、上記に鑑みてなされたものであって、車両の周囲の環境に応じて適切に俯瞰映像を表示させることを目的とする。
【課題を解決するための手段】
【０００６】
上述した課題を解決し、目的を達成するために、本発明に係る表示制御装置は、車両の周辺を撮影する複数の撮影部が撮影した周辺映像データを取得する映像データ取得部と、前記車両の周囲の環境情報を取得する環境情報取得部と、前記映像データ取得部が取得した周辺映像データに視点変換処理および合成処理を行い、前記車両から所定の表示範囲を表示する俯瞰映像を生成する俯瞰映像生成部と、前記環境情報取得部が取得した環境情報に基づき、前記俯瞰映像生成部が生成した俯瞰映像の表示範囲を変更して表示部に表示させる表示制御部とを備えることを特徴とする。
【０００７】
本発明に係る表示システムは、上記の表示制御装置と、前記映像データ取得部が周辺映像データを取得する複数の撮影部、前記表示制御部が俯瞰映像を表示させる表示部の少なくともいずれかとを備える。
【０００８】
本発明に係る表示制御方法は、車両の周辺を撮影する複数の撮影部が撮影した周辺映像データを取得する映像データ取得ステップと、前記車両の周囲の環境情報を取得する環境情報取得ステップと、前記映像データ取得ステップにおいて取得した周辺映像データに視点変換処理および合成処理を行い、前記車両から所定の表示範囲を表示する俯瞰映像を生成する俯瞰映像生成ステップと、前記環境情報取得ステップにおいて取得した環境情報に基づき、前記俯瞰映像生成ステップで生成した俯瞰映像の表示範囲を変更して表示部に表示させる表示制御ステップとを含む。
【０００９】
本発明に係るプログラムは、車両の周辺を撮影する複数の撮影部が撮影した周辺映像データを取得する映像データ取得ステップと、前記車両の周囲の環境情報を取得する環境情報取得ステップと、前記映像データ取得ステップにおいて取得した周辺映像データに視点変換処理および合成処理を行い、前記車両から所定の表示範囲を表示する俯瞰映像を生成する俯瞰映像生成ステップと、前記環境情報取得ステップにおいて取得した環境情報に基づき、前記俯瞰映像生成ステップで生成した俯瞰映像の表示範囲を変更して表示部に表示させる表示制御ステップとを表示制御装置として動作するコンピュータに実行させる。
【発明の効果】
【００１０】
本発明によれば、車両の周囲の環境に応じて適切に俯瞰映像を表示させることができるという効果を奏する。
【図面の簡単な説明】
【００１１】
【図１】図１は、第一実施形態に係る表示システムの構成例を示すブロック図である。
【図２】図２は、第一実施形態に係る表示システムの表示制御装置で生成した俯瞰映像の一例を示す図である。
【図３】図３は、第一実施形態に係る表示システムの表示制御装置における処理の流れの一例を示すフローチャートである。
【図４】図４は、第一実施形態に係る表示システムの表示制御装置で生成した俯瞰映像の他の例を示す図である。
【図５】図５は、第二実施形態に係る表示システムの表示制御装置における処理の流れの一例を示すフローチャートである。
【図６】図６は、第二実施形態に係る表示システムの表示制御装置で生成した俯瞰映像の一例を示す図である。
【図７】図７は、第二実施形態に係る表示システムの表示制御装置で生成した俯瞰映像の他の例を示す図である。
【発明を実施するための形態】
【００１２】
以下に添付図面を参照して、本発明に係る表示制御装置５０、表示システム１、表示制御方法及びプログラムの実施形態を詳細に説明する。なお、以下の実施形態により本発明が限定されるものではない。
【００１３】
［第一実施形態］
図１は、第一実施形態に係る表示システムの構成例を示すブロック図である。表示システム１は、例えば、車両の周囲の環境情報に基づき、俯瞰映像１００（図２参照）の表示範囲を変更して表示させる。表示システム１は、車両に搭載されている。表示システム１は、車両に載置されているものに加えて、可搬型で車両において利用可能な装置であってもよい。
【００１４】
表示システム１は、前俯瞰映像用カメラ（撮影部）１１と、後俯瞰映像用カメラ（撮影部）１２と、左俯瞰映像用カメラ（撮影部）１３と、右俯瞰映像用カメラ（撮影部）１４と、表示部２１と、インターフェース部３１と、表示制御装置５０とを有する。
【００１５】
前俯瞰映像用カメラ１１は、俯瞰映像用カメラである。前俯瞰映像用カメラ１１は、車両の前方に配置され、車両の前方を中心とした周辺を撮影する。前俯瞰映像用カメラ１１は、例えば、１８０°程度の撮影範囲を撮影する。撮影範囲は、俯瞰映像１００の表示範囲より車両の前方に広い範囲を含む。前俯瞰映像用カメラ１１は、撮影した周辺映像データを表示制御装置５０の映像データ取得部５１へ出力する。
【００１６】
後俯瞰映像用カメラ１２は、俯瞰映像用カメラである。後俯瞰映像用カメラ１２は、車両の後方に配置され、車両の後方を中心とした周辺を撮影する。後俯瞰映像用カメラ１２は、例えば、１８０°程度の撮影範囲を撮影する。撮影範囲は、俯瞰映像１００の表示範囲より車両の後方に広い範囲を含む。後俯瞰映像用カメラ１２は、撮影した周辺映像データを表示制御装置５０の映像データ取得部５１へ出力する。
【００１７】
左俯瞰映像用カメラ１３は、俯瞰映像用カメラである。左俯瞰映像用カメラ１３は、車両の左側方に配置され、車両の左側方を中心とした周辺を撮影する。左俯瞰映像用カメラ１３は、例えば、１８０°程度の撮影範囲を撮影する。撮影範囲は、俯瞰映像１００の表示範囲より車両の左側方に広い範囲を含む。左俯瞰映像用カメラ１３は、撮影した周辺映像データを表示制御装置５０の映像データ取得部５１へ出力する。
【００１８】
右俯瞰映像用カメラ１４は、俯瞰映像用カメラである。右俯瞰映像用カメラ１４は、車両の右側方に配置され、車両の右側方を中心とした周辺を撮影する。右俯瞰映像用カメラ１４は、例えば、１８０°程度の撮影範囲を撮影する。撮影範囲は、俯瞰映像１００の表示範囲より車両の右側方に広い範囲を含む。右俯瞰映像用カメラ１４は、撮影した周辺映像データを表示制御装置５０の映像データ取得部５１へ出力する。
【００１９】
前俯瞰映像用カメラ１１と後俯瞰映像用カメラ１２と左俯瞰映像用カメラ１３と右俯瞰映像用カメラ１４とで、車両の全方位を撮影する。
【００２０】
表示部２１は、一例としてはナビゲーションシステムを含む他のシステムと共用した表示装置などである。表示部２１は、必要なタイミングで、車両の周囲を確認するためのモニタである。表示部２１は、車両の周囲を確認することができれば、様々な形態をとりうることがでる。表示パネルの一例としては、電子ルームミラーを用いたり、インストルメントパネルの機能とすることも可能である。表示部２１は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイなどを含むディスプレイである。表示部２１は、運転者から視認容易な位置に配置されている。本実施形態では、表示部２１は、車両の運転者前方の、ダッシュボード、インストルメントパネル、センターコンソールなどに配置されている。表示部２１は、表示制御装置５０の表示制御部５５から出力された映像信号に基づき、車両の俯瞰映像１００を表示する。
【００２１】
インターフェース部３１は、環境情報取得部５２が車両の周辺の環境情報を取得するための情報源に接続するインターフェースである。インターフェース部３１は、例えば、Ｗｉ−Ｆｉ（登録商標）や電話等の通信回線などに接続し、外部の情報源であるサーバ等から、車両の現在位置に該当する環境情報を取得する。
【００２２】
表示制御装置５０は、車両の周囲を確認するための俯瞰映像１００を提供する。より詳しくは、表示制御装置５０は、例えば、車両の周囲の環境情報に基づき、俯瞰映像１００の表示範囲を変更して表示させるように制御する。
【００２３】
表示制御装置５０は、例えば、ＣＰＵ（Ｃｅｎｔｒａｌ  Ｐｒｏｃｅｓｓｉｎｇ  Ｕｎｉｔ）や映像処理用プロセッサなどで構成された演算処理装置（制御部）である。表示制御装置５０は、図示しない記憶部に記憶されているプログラムをメモリにロードして、プログラムに含まれる命令を実行する。表示制御装置５０は、映像データ取得部５１と、環境情報取得部５２と、車両情報取得部５３と、俯瞰映像生成部５４と、表示制御部５５と、内部メモリである記憶部とが含まれる。表示制御装置５０は、一または複数の装置で構成されていてもよい。
【００２４】
映像データ取得部５１は、車両の周辺を撮影した周辺映像データを取得する。より詳しくは、映像データ取得部５１は、前俯瞰映像用カメラ１１と後俯瞰映像用カメラ１２と左俯瞰映像用カメラ１３と右俯瞰映像用カメラ１４とが出力した周辺映像データを取得する。映像データ取得部５１は、取得した周辺映像データを俯瞰映像生成部５４に出力する。
【００２５】
車両情報取得部５３は、車両のギア操作情報など、駐車支援表示トリガである駐車開始トリガまたは駐車終了トリガとなる車両情報を、ＣＡＮ（Ｃｏｎｔｒｏｌｌｅｒ  Ａｒｅａ  Ｎｅｔｗｏｒｋ）や車両の状態をセンシングする各種センサなどから取得する。車両情報取得部５３は、車両情報として、ＣＡＮや各種センサなどから取得した車両の進行方向の情報を取得する。車両情報取得部５３は、取得した車両情報を表示制御部５５に出力する。
【００２６】
環境情報取得部５２は、インターフェース部３１を介して取得した、車両の周囲の環境情報を示す環境情報を取得する。本実施形態では、環境情報取得部５２は、車両の周囲の気象に関する情報を取得する。環境情報取得部５２は、取得した環境情報を表示制御部５５に出力する。
【００２７】
俯瞰映像生成部５４は、映像データ取得部５１で取得した周辺映像データに視点変換処理および合成処理を行い、車両から所定の表示範囲を表示する俯瞰映像１００を生成する。俯瞰映像生成部５４は、生成した俯瞰映像１００を表示制御部５５に出力する。俯瞰映像生成部５４は、視点変換処理部５４１と、切出処理部５４２と、合成処理部５４３とを有する。
【００２８】
視点変換処理部５４１は、映像データ取得部５１で取得した周辺映像データに対して、車両を上方から見下ろすように視点変換処理を行う。より詳しくは、視点変換処理部５４１は、前俯瞰映像用カメラ１１と後俯瞰映像用カメラ１２と左俯瞰映像用カメラ１３と右俯瞰映像用カメラ１４とで撮影した周辺映像データに基づいて、視点変換処理を行った映像を生成する。視点変換処理の方法は、公知のいずれの方法でもよく、限定されない。視点変換処理部５４１は、視点変換処理を行った周辺映像データを切出処理部５４２に出力する。
【００２９】
切出処理部５４２は、視点変換処理を行った周辺映像データから所定の範囲の映像を切出す切出処理を行う。どの範囲を切出範囲とするかは、あらかじめ登録され記憶されている。切出処理部５４２は、切出処理を行った映像の映像データを合成処理部５４３に出力する。
【００３０】
合成処理部５４３は、切出処理を行った映像データを合成する合成処理を行う。合成処理部５４３は、合成した映像に車両アイコン１１０を表示した俯瞰映像１００を生成する。
【００３１】
図２を用いて、俯瞰映像１００について説明する。図２は、第一実施形態に係る表示システムの表示制御装置で生成した俯瞰映像の一例を示す図である。図２に示す俯瞰映像１００を、通常の俯瞰映像１００という。俯瞰映像１００は、車両から２ｍ程度の範囲を表示する。俯瞰映像１００は、前方映像１０１と後方映像１０２と左側方映像１０３と右側方映像１０４とで囲まれた中央部に位置する車両アイコン１１０とを含む。車両アイコン１１０は、車両の位置と向きとを示す。車両アイコン１１０は、前後方向を俯瞰映像１００の前後方向と平行にして、中央部に配置されている。
【００３２】
表示制御部５５は、俯瞰映像生成部５４が生成する俯瞰映像１００を表示部２１に表示させる。表示制御部５５は、環境情報取得部５２が取得した環境情報に基づき、俯瞰映像生成部５４が生成した俯瞰映像１００の表示範囲を変更して表示部２１に表示させる。
【００３３】
表示範囲を変更するとは、表示範囲を広くすること、狭くすること、および、表示範囲をいずれかの方向にずらすことを含む。表示範囲を広くすると、俯瞰映像１００には、車両の周囲の広い範囲が表示される。表示範囲を狭くすると、俯瞰映像１００には、車両の周囲の狭い範囲が拡大されて表示される。表示範囲をずらすと、俯瞰映像１００には、ずらした方向の広い範囲が表示される。本実施形態では、表示範囲を広くするものとして説明する。
【００３４】
俯瞰映像生成部５４は、図２に示される通常の俯瞰映像１００より広い範囲の俯瞰映像を生成する。図２に示される通常の俯瞰映像１００は、表示制御部５５によって、俯瞰映像生成部５４が生成した俯瞰映像から、車両の周囲の確認に必要な範囲であり、視点変換処理による映像の歪みが少ない範囲が表示されている。
【００３５】
表示制御部５５は、車両の周囲の気象に関する情報が荒天を示している場合、俯瞰映像生成部５４が生成した俯瞰映像１００の表示範囲を広く変更して表示部２１に表示させる。表示制御部５５は、環境情報取得部５２が取得した気象に関する情報が、降雨、降雪、強風および寒波の少なくともいずれかを示している場合、荒天を示していると判断してもよい。降雨、降雪、強風および寒波に限定するものではなく、車両の周囲の視界が悪くなる他の気象状態を含む。
【００３６】
次に、図３を用いて、表示システム１の表示制御装置５０における処理の流れについて説明する。図３は、第一実施形態に係る表示システムの表示制御装置における処理の流れの一例を示すフローチャートである。
【００３７】
表示システム１が起動されると、表示制御装置５０は、映像データ取得部５１で周辺映像データを取得する。表示制御装置５０は、車両情報取得部５３で車両情報を取得する。
【００３８】
表示制御装置５０は、俯瞰映像表示を開始するか否かを判定する（ステップＳ１０１）。例えば、表示制御装置５０は、車両情報取得部５３で取得した車両情報に基づいて、シフトポジションが「リバース」とされたこと、または、車両の進行方向が後方になった場合、俯瞰映像表示を開始すると判定する。例えば、表示制御装置５０は、車両情報取得部５３で取得した車両情報に基づいて、ユーザの操作に基づく俯瞰映像１００の表示指示が検出された場合、俯瞰映像表示を開始すると判定してもよい。表示制御装置５０は、俯瞰映像表示を開始すると判定した場合（ステップＳ１０１でＹｅｓ）、ステップＳ１０２へ進む。表示制御装置５０は、俯瞰映像表示を開始すると判定しない場合（ステップＳ１０１でＮｏ）、ステップＳ１０１の処理を再度実行する。
【００３９】
俯瞰映像表示を開始すると判定した場合（ステップＳ１０１でＹｅｓ）、表示制御装置５０は、環境情報取得部５２によって、環境情報を取得する（ステップＳ１０２）。表示制御装置５０は、ステップＳ１０３へ進む。
【００４０】
表示制御装置５０は、俯瞰映像１００を生成する（ステップＳ１０３）。より詳しくは、表示制御装置５０は、俯瞰映像生成部５４によって、俯瞰映像１００を生成する。表示制御装置５０は、ステップＳ１０４へ進む。
【００４１】
表示制御装置５０は、環境情報が荒天を示すか否かを判定する（ステップＳ１０４）。より詳しくは、表示制御装置５０は、環境情報取得部５２で取得した環境情報に基づいて、例えば、降雨、降雪、強風および寒波の少なくともいずれかであることを示す場合、環境情報が荒天を示すと判定する。表示制御装置５０は、環境情報が荒天を示すと判定した場合（ステップＳ１０４でＹｅｓ）、ステップＳ１０５へ進む。表示制御装置５０は、環境情報が荒天を示すと判定しない場合（ステップＳ１０４でＮｏ）、ステップＳ１０６へ進む。
【００４２】
環境情報が荒天を示すと判定した場合（ステップＳ１０４でＹｅｓ）、表示制御装置５０は、通常より広い表示範囲の俯瞰映像１００を表示する（ステップＳ１０５）。より詳しくは、図４に示すように、表示制御装置５０は、俯瞰映像生成部５４で生成した俯瞰映像１００を、通常より広い表示範囲で表示部２１に表示させる映像信号を出力する。図４は、第一実施形態に係る表示システムの表示制御装置で生成した俯瞰映像の他の例を示す図である。図４に示す俯瞰映像１００は、車両アイコン１１０を中心にして、前方映像１０１と後方映像１０２と左側方映像１０３と右側方映像１０４とが、図２に示す通常の俯瞰映像１００より広く表示されている。図４に示す俯瞰映像１００は、図２に示す通常の俯瞰映像１００に比べて、車両アイコン１１０が小さくなっている。表示制御装置５０は、ステップＳ１０７へ進む。
【００４３】
環境情報が荒天を示すと判定しない場合（ステップＳ１０４でＮｏ）、表示制御装置５０は、通常の表示範囲の俯瞰映像１００を表示する（ステップＳ１０６）。より詳しくは、表示制御装置５０は、図２に示すような、俯瞰映像生成部５４で生成した俯瞰映像１００を通常の表示範囲で表示部２１に表示させる映像信号を出力する。表示制御装置５０は、ステップＳ１０７へ進む。
【００４４】
表示制御装置５０は、俯瞰映像表示を終了するか否かを判定する（ステップＳ１０７）。より詳しくは、表示制御装置５０は、車両情報取得部５３で取得した車両情報に基づいて、シフトポジションが「リバース」から「ドライブ」などにされたこと、または、車両の進行方向が前方になった場合、俯瞰映像表示を終了すると判定する。例えば、表示制御装置５０は、車両情報取得部５３で取得した車両情報に基づいて、ユーザの操作に基づく俯瞰映像１００の表示終了指示が検出された場合、俯瞰映像表示を終了すると判定してもよい。表示制御装置５０は、俯瞰映像表示を終了すると判定した場合（ステップＳ１０７でＹｅｓ）、処理を終了する。表示制御装置５０は、俯瞰映像表示を終了すると判定しない場合（ステップＳ１０７でＮｏ）、ステップＳ１０７の処理を再度実行する。
【００４５】
このように、車両の周囲の環境情報に基づき、俯瞰映像１００の表示範囲を変更して表示させる。
【００４６】
上述したように、本実施形態によれば、車両の周囲の環境に応じて適切に俯瞰映像１００を表示させることができる。実施形態は、車両の周囲の気象に関する情報が、例えば、降雨、降雪、強風および寒波のような荒天を示している場合、俯瞰映像１００の表示範囲を広く変更して表示させることができる。これにより、本実施形態は、運転者が、他車両および歩行者などの周囲の目視での状況確認が困難となる場合に、俯瞰映像１００の表示範囲を広く変更して表示することによって、周囲の状況確認を支援することができる。また、本実施形態は、俯瞰映像１００の表示範囲を広く変更して表示することによって、車両の周囲の見通しが悪い場合でも、近接してきた他車両を発見しやすくすることができる。
【００４７】
［第二実施形態］
図５ないし図７を参照しながら、本実施形態に係る表示システム１について説明する。図５は、第二実施形態に係る表示システムの表示制御装置における処理の流れの一例を示すフローチャートである。図６は、第二実施形態に係る表示システムの表示制御装置で生成した俯瞰映像の一例を示す図である。図７は、第二実施形態に係る表示システムの表示制御装置で生成した俯瞰映像の他の例を示す図である。表示システム１は、基本的な構成は第一実施形態の表示システム１と同様である。表示システム１は、車両情報取得部５３と表示制御部５５における処理が第一実施形態と異なる。
【００４８】
車両情報取得部５３は、車両情報として、車両の進行方向の情報を取得する。
【００４９】
表示制御部５５は、車両の周囲の気象に関する情報が荒天を示している場合、俯瞰映像生成部５４が生成した俯瞰映像１００の進行方向における表示範囲を広く変更して表示部２１に表示させる。より詳しくは、表示制御部５５は、車両の周囲の気象に関する情報が荒天を示している場合、俯瞰映像１００の進行方向における表示範囲を他の方向より広く変更して表示部２１に表示させる。または、表示制御部５５は、車両の周囲の気象に関する情報が荒天を示している場合、通常の俯瞰映像１００より広い表示範囲として、かつ、進行方向における表示範囲を他の方向より広く変更して表示部２１に表示させてもよい。
【００５０】
例えば、車両が前進している場合、表示制御部５５は、俯瞰映像１００における前方の表示範囲を広く変更する。例えば、車両が後退している場合、表示制御部５５は、俯瞰映像１００における後方の表示範囲を広く変更する。例えば、車両が前進しながら右方向に旋回している場合、表示制御部５５は、俯瞰映像１００における右前方の表示範囲を広く変更する。例えば、車両が前進しながら左方向に旋回している場合、表示制御部５５は、俯瞰映像１００における左前方の表示範囲を広く変更する。
【００５１】
次に、図５を用いて、表示システム１の表示制御装置５０における処理の流れについて説明する。ステップＳ１１１ないしステップＳ１１４、ステップＳ１１６、ステップＳ１１７の処理は、図３に示すフローチャートのステップＳ１０１ないしステップＳ１０４、ステップＳ１０６、ステップＳ１０７と同様の処理を行う。
【００５２】
表示制御装置５０は、通常より進行方向に広い表示範囲の俯瞰映像１００を表示する（ステップＳ１１５）。より詳しくは、表示制御装置５０は、俯瞰映像生成部５４で生成した俯瞰映像１００が、通常より広い進行方向に表示範囲で表示部２１に表示させる映像信号を出力する。表示制御装置５０は、ステップＳ１１７へ進む。
【００５３】
図６、図７を用いて、ステップS１１５で生成される俯瞰映像１００について説明する。車両は後退しているものとする。図６に示す俯瞰映像１００は、後方映像１０２の表示範囲が広くなるように、表示範囲が変更されている。図６に示す俯瞰映像１００は、図２に示す通常の俯瞰映像１００に比べて、車両アイコン１１０が前側にずれている。図７に示す俯瞰映像１００は、図２に示す通常の俯瞰映像１００より表示範囲が広く、かつ、後方映像１０２の表示範囲が広く変更されている。図７に示す俯瞰映像１００は、図２に示す通常の俯瞰映像１００に比べて、車両アイコン１１０が小さくなっている。
【００５４】
このように、車両の周囲の気象に関する情報が荒天を示している場合、俯瞰映像１００の進行方向における表示範囲を広く変更して表示させる。
【００５５】
上述したように、本実施形態によれば、車両の周囲の気象に関する情報が荒天を示している場合、俯瞰映像１００の進行方向における表示範囲を広く変更して表示させることができる。これにより、本実施形態は、周囲の状況確認をより適切に支援することができる。
【００５６】
図示した表示システム１の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【００５７】
表示システム１の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【００５８】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【符号の説明】
【００５９】
１        表示システム
１１      前俯瞰映像用カメラ（撮影部）
１２      後俯瞰映像用カメラ（撮影部）
１３      左俯瞰映像用カメラ（撮影部）
１４      右俯瞰映像用カメラ（撮影部）
２１      表示部
５０      表示制御装置
５１      映像データ取得部
５２      環境情報取得部
５３      車両情報取得部
５４      俯瞰映像生成部
５５      表示制御部
１００    俯瞰映像
【図１】
2020145658.tif 000003
【図２】
2020145658.tif 000004
【図３】
2020145658.tif 000005
【図４】
2020145658.tif 000006
【図５】
2020145658.tif 000007
【図６】
2020145658.tif 000008
【図７】
2020145658.tif 000009